(57)【要約】      （修正有）【課題】何時でも何処でも電子マネーカードのチャージを可能にするチャージプログラム及びチャージ方法並びにＮＦＣ対応端末を提供する。【解決手段】電子マネーカード１０のユーザに、認証情報と、チャージする金額とを入力させる工程と、イシュアサーバ３０、銀行サーバ４０に、認証情報で認証されるユーザが、金額を決済可能であるかの問いを送信する工程と、各サーバから、決済可能であるとの答えを受信すると、ユーザに電子マネーカードをかざさせる工程と、かざされた電子マネーカードに、金額をチャージする工程と、各サーバに、ユーザが電子マネーカードに金額をチャージしたとして、金額の決済を依頼する工程と、を実行させる。【選択図】図１
2016218552.tif 000002
【特許請求の範囲】
【請求項１】
サーバにネットワークを介して接続するＮＦＣ対応端末に、電子マネーカードへのチャージを実行させるプログラムであって、
前記電子マネーカードのユーザに、認証情報と、チャージする金額とを入力させる工程と、
前記サーバに、前記認証情報で認証される前記ユーザが、前記金額を決済可能であるかの問いを送信する工程と、
前記サーバから、決済可能であるとの答えを受信すると、前記ユーザに前記電子マネーカードをかざさせる工程と、
かざされた前記電子マネーカードに、前記金額をチャージする工程と、
前記サーバに、前記ユーザが前記電子マネーカードに前記金額をチャージしたとして、前記金額の決済を依頼する工程とを実行させることを特徴とするチャージプログラム。
【請求項２】
前記サーバが、クレジットカード発行会社のサーバであって、前記認証情報は、カード会員番号と暗証番号とであることを特徴とする請求項１記載のチャージプログラム。
【請求項３】
前記サーバが、銀行のサーバであって、前記認証情報は、口座番号と暗証番号とであることを特徴とする請求項１記載のチャージプログラム。
【請求項４】
サーバにネットワークを介して接続するＮＦＣ対応端末が、電子マネーカードへのチャージを実行する方法であって、
前記電子マネーカードのユーザに、認証情報と、チャージする金額とを入力させる工程と、
前記サーバに、前記認証情報で認証される前記ユーザが、前記金額を決済可能であるかの問いを送信する工程と、
前記サーバから、決済可能であるとの答えを受信すると、前記ユーザに前記電子マネーカードをかざさせる工程と、
かざされた前記電子マネーカードに、前記金額をチャージする工程と、
前記サーバに、前記ユーザが前記電子マネーカードに前記金額をチャージしたとして、前記金額の決済を依頼する工程とを含むことを特徴とするチャージ方法。
【請求項５】
前記サーバが、クレジットカード発行会社のサーバであって、前記認証情報は、カード会員番号と暗証番号とであることを特徴とする請求項４記載のチャージ方法。
【請求項６】
前記サーバが、銀行のサーバであって、前記認証情報は、口座番号と暗証番号とであることを特徴とする請求項４記載のチャージ方法。
【請求項７】
サーバにネットワークを介して接続し、電子マネーカードへのチャージを実行するＮＦＣ対応端末であって、
前記電子マネーカードのユーザに、認証情報と、チャージする金額とを入力させる手段と、
前記サーバに、前記認証情報で認証される前記ユーザが、前記金額を決済可能であるかの問いを送信する手段と、
前記サーバから、決済可能であるとの答えを受信すると、前記ユーザに前記電子マネーカードをかざさせる手段と、
かざされた前記電子マネーカードに、前記金額をチャージする手段と、
前記サーバに、前記ユーザが前記電子マネーカードに前記金額をチャージしたとして、前記金額の決済を依頼する手段とを備えることを特徴とするＮＦＣ対応端末。
【請求項８】
前記サーバが、クレジットカード発行会社のサーバであって、前記認証情報は、カード会員番号と暗証番号とであることを特徴とする請求項７記載のＮＦＣ対応端末。
【請求項９】
前記サーバが、銀行のサーバであって、前記認証情報は、口座番号と暗証番号とであることを特徴とする請求項７記載のＮＦＣ対応端末。
【発明の詳細な説明】
【技術分野】
【０００１】
本発明は、チャージプログラム及びチャージ方法並びにＮＦＣ対応端末に関する。
【背景技術】
【０００２】
一般に、非接触型ＩＣカードであって、このＩＣカードのＩＣチップのメモリに、払い込まれた金額の分だけ増え、支払いに充てられた金額の分だけ減少する残高が記録されている電子マネーカードが知られている。また一般に、払い込こまれた金額の分だけ残高を増やすことは、チャージと呼ばれている。また一般に、残高は、残額或いはバリューなどと呼ばれることもある。
【０００３】
一般に、チャージは、銀行のＡＴＭ、駅の自動券売機、コンビニのＰＯＳレジなどの専用端末で行われている（例えば特許文献１及び２参照）。
【０００４】
このため、チャージをするには、電子マネーカードを持って営業時間内に専用端末まで出向かなければならないので、電子マネーカードで決済しようとしたときに残高不足に気付いても即座にチャージできず、その結果電子マネーカードで決済ができないことがあり、利便性が悪いという問題があった。
【先行技術文献】
【特許文献】
【０００５】
【特許文献１】特開２００６−３５０８７７号公報
【特許文献２】特開２００９−２３７８３１号公報
【発明の概要】
【発明が解決しようとする課題】
【０００６】
本発明は、このような事情を考慮してなされたもので、何時でも何処でも電子マネーカードのチャージを可能にすることを課題とする。
【課題を解決するための手段】
【０００７】
本発明において上記課題を解決するために、まず請求項１の発明では、サーバにネットワークを介して接続するＮＦＣ対応端末に、電子マネーカードへのチャージを実行させるプログラムであって、
前記電子マネーカードのユーザに、認証情報と、チャージする金額とを入力させる工程と、
前記サーバに、前記認証情報で認証される前記ユーザが、前記金額を決済可能であるかの問いを送信する工程と、
前記サーバから、決済可能であるとの答えを受信すると、前記ユーザに前記電子マネーカードをかざさせる工程と、
かざされた前記電子マネーカードに、前記金額をチャージする工程と、
前記サーバに、前記ユーザが前記電子マネーカードに前記金額をチャージしたとして、前記金額の決済を依頼する工程とを実行させることを特徴とするチャージプログラムとしたものである。
【０００８】
また請求項２の発明では、前記サーバが、クレジットカード発行会社のサーバであって、前記認証情報は、カード会員番号と暗証番号とであることを特徴とする請求項１記載のチャージプログラムとしたものである。
【０００９】
また請求項３の発明では、前記サーバが、銀行のサーバであって、前記認証情報は、口座番号と暗証番号とであることを特徴とする請求項１記載のチャージプログラムとしたものである。
【００１０】
また請求項４の発明では、サーバにネットワークを介して接続するＮＦＣ対応端末が、電子マネーカードへのチャージを実行する方法であって、
前記電子マネーカードのユーザに、認証情報と、チャージする金額とを入力させる工程と、
前記サーバに、前記認証情報で認証される前記ユーザが、前記金額を決済可能であるかの問いを送信する工程と、
前記サーバから、決済可能であるとの答えを受信すると、前記ユーザに前記電子マネーカードをかざさせる工程と、
かざされた前記電子マネーカードに、前記金額をチャージする工程と、
前記サーバに、前記ユーザが前記電子マネーカードに前記金額をチャージしたとして、前記金額の決済を依頼する工程とを含むことを特徴とするチャージ方法としたものである。
【００１１】
また請求項５の発明では、前記サーバが、クレジットカード発行会社のサーバであって、前記認証情報は、カード会員番号と暗証番号とであることを特徴とする請求項４記載のチャージ方法としたものである。
【００１２】
また請求項６の発明では、前記サーバが、銀行のサーバであって、前記認証情報は、口座番号と暗証番号とであることを特徴とする請求項４記載のチャージ方法としたものである。
【００１３】
また請求項７の発明では、サーバにネットワークを介して接続し、電子マネーカードへのチャージを実行するＮＦＣ対応端末であって、
前記電子マネーカードのユーザに、認証情報と、チャージする金額とを入力させる手段と、
前記サーバに、前記認証情報で認証される前記ユーザが、前記金額を決済可能であるかの問いを送信する手段と、
前記サーバから、決済可能であるとの答えを受信すると、前記ユーザに前記電子マネーカードをかざさせる手段と、
かざされた前記電子マネーカードに、前記金額をチャージする手段と、
前記サーバに、前記ユーザが前記電子マネーカードに前記金額をチャージしたとして、前記金額の決済を依頼する手段とを備えることを特徴とするＮＦＣ対応端末としたものである。
【００１４】
また請求項８の発明では、前記サーバが、クレジットカード発行会社のサーバであって、前記認証情報は、カード会員番号と暗証番号とであることを特徴とする請求項７記載のＮＦＣ対応端末としたものである。
【００１５】
また請求項９の発明では、前記サーバが、銀行のサーバであって、前記認証情報は、口座番号と暗証番号とであることを特徴とする請求項７記載のＮＦＣ対応端末としたものである。
【発明の効果】
【００１６】
本発明は、何時でも何処でも電子マネーカードのチャージを可能にするという効果があ
る。
【図面の簡単な説明】
【００１７】
【図１】本発明のチャージ方法に係るものの例を示す図。
【図２】電子マネーカードの一構成例を示す図。
【図３】電子マネーカードのＩＣチップの一構成例を示す図。
【図４】電子マネーカードのＩＣチップのメモリに記憶されているデータの一例を示す図。
【図５】登録電子マネーカード管理サーバ、イシュアサーバ、銀行サーバの一構成例を示す図。
【図６】ＮＦＣ対応端末の一構成例を示す図。
【図７】本発明のチャージ方法を実行するための処理の流れの例の第１部を示すフローチャート。
【図８】本発明のチャージ方法を実行するための処理の流れの例の第２部を示すフローチャート。
【図９】本発明のチャージ方法を実行するための処理の流れの例の第３部を示すフローチャート。
【図１０】本発明のチャージ方法を実行するための処理の流れの例の第４部を示すフローチャート。
【図１１】本発明のチャージ方法を実行するための処理の流れの例の第５部を示すフローチャート。
【図１２】本発明のチャージ方法を実行するための処理の流れの例の第６部を示すフローチャート。
【図１３】本発明のチャージ方法を実行するための処理の流れの例の第７部を示すフローチャート。
【発明を実施するための形態】
【００１８】
以下に、本発明の一実施形態を説明する。
【００１９】
本発明のチャージ方法には、図１に示すように、電子マネーカード１０と、登録電子マネーカード管理サーバ２０と、イシュアサーバ３０と、銀行サーバ４０と、ＮＦＣ対応端末８０とが係り、登録電子マネーカード管理サーバ２０と、イシュアサーバ３０と、銀行サーバ４０とは、ネットワーク５０を介して、ＮＦＣ対応端末８０に接続されるものである。
【００２０】
電子マネーカード１０は、図２に示すように、アンテナ１１と、ＩＣチップ１２とを内蔵している非接触型ＩＣカードである。
【００２１】
ＩＣチップ１２は、図３に示すように、ＣＰＵ１３と、メモリ１４と、近接通信インタ
ーフェース１５とを備える。
【００２２】
近接通信インターフェース１５は、アンテナ１１を介して、ＮＦＣと呼ばれる近距離無線通信を、例えば、ＮＦＣ対応端末８０等と、行う装置である。
【００２３】
メモリ１４は、データ及びプログラムを記憶する装置である。
【００２４】
ＣＰＵ１３は、メモリ１４に記憶されているプログラムを実行し、メモリ１４と、近接通信インターフェース１５とを制御する装置である。
【００２５】
メモリ１４には、少なくとも、図４に示すように、カードＩＤと、残高との組とが記憶されている。ここで、カードＩＤは、電子マネーカード１０を唯一に識別する識別子である。残高は、上述したように、今までに、払い込まれた金額から、支払いに充てられた金額を差し引いて残った金額である。
【００２６】
メモリ１４には、ＣＰＵ１３に、以下の（１）〜（２）の工程を実行させるプログラムが記憶されている。
（１）残高を送信するようにとの要求を、ＮＦＣ対応端末８０から受信する工程。
（２）この受信した要求に従って、メモリ１４から残高を読み出してＮＦＣ対応端末８０へ送信する工程。
【００２７】
メモリ１４には、ＣＰＵ１３に、以下の（１）〜（２）の工程を実行させるプログラムも記憶されている。
（１）カードＩＤを送信するようにとの要求を、ＮＦＣ対応端末８０から受信する工程。
（２）この受信した要求に従って、メモリ１４からカードＩＤを読み出してＮＦＣ対応端末８０へ送信する工程。
【００２８】
また、メモリ１４には、ＣＰＵ１３に、以下の（１）〜（２）の工程を実行させるプログラムも記憶されている。
（１）金額とともに、残高を、この金額を加えたものに更新するようにとの要求を、ＮＦＣ対応端末８０から受信する工程。
（２）この受信した要求に従って、メモリ１４に記憶している残高を、この金額を加えたものに更新する工程。
【００２９】
登録電子マネーカード管理サーバ２０は、登録された電子マネーカードを管理するサーバであり、イシュアサーバ３０は、イシュアと呼ばれるクレジットカード発行会社のサーバであって、カード会員によるクレジットカードの利用を管理するものであり、銀行サーバ４０は、口座開設者との取引を管理する銀行のサーバである。
【００３０】
登録電子マネーカード管理サーバ２０、イシュアサーバ３０、銀行サーバ４０は、図5に示すように、ＣＰＵ７１と、一時記憶装置７２と、記憶装置７３と、通信装置７４とを備えるコンピュータである。
【００３１】
通信装置７４は、ネットワーク５０を介して、データ通信を、例えば、ＮＦＣ対応端末８０等と、行う装置である。
【００３２】
記憶装置７３は、永続的にデータやプログラムを記憶する装置である。
【００３３】
一時記憶装置７２は、一時的にデータやプログラムを記憶する装置である。
【００３４】
ＣＰＵ７１は、記憶装置７３からプログラムを一時記憶装置７２にロードして実行し、各装置を制御する装置である。
【００３５】
登録電子マネーカード管理サーバ２０では、記憶装置７３には、登録された電子マネーカードを唯一に識別するカードＩＤが記憶されている。
【００３６】
また、登録電子マネーカード管理サーバ２０では、記憶装置７３には、ＣＰＵ７１に、以下の（１）〜（４）の工程を実行させるプログラムが記憶されている。
（１）カードＩＤとともに、このカードＩＤで唯一に識別される電子マネーカードが登録されたものであるかの問いをＮＦＣ対応端末８０から受信する工程。
（２）この受信したカードＩＤが、この記憶装置７３に、登録された電子マネーカードを識別するものとして記憶されているかを確かめる工程。
（３）記憶されている場合、登録されたものであるとの答えをＮＦＣ対応端末８０へ送信する工程。
（４）記憶されていない場合、登録されたものではないとの答えをＮＦＣ対応端末８０へ送信する工程。
【００３７】
イシュアサーバ３０では、記憶装置７３には、個々のカード会員ごとに、カード会員を唯一に識別するカード会員番号、このカード会員に貸与されているクレジットカードの暗証番号、信用情報、クレジットカードの利用情報が記憶されている。
【００３８】
また、イシュアサーバ３０では、記憶装置７３には、ＣＰＵ７１に、以下の（１）〜（５）の工程を実行させるプログラムが記憶されている。
（１）カード会員番号及び暗証番号並びに金額とともに、このカード会員番号で識別されるカード会員が、このカード会員に貸与されているクレジットカードで、この金額を決済可能かの問いをＮＦＣ対応端末８０から受信する工程。
（２）この受信したカード会員番号及び暗証番号と、記憶装置７３に記録されているカード会員番号及び暗証番号とを照合して認証を行う工程。
（３）認証に成功した場合、さらに、この受信したカード会員番号で唯一に識別されるカード会員の信用情報を記憶装置７３から読み出し、読み出した信用情報に基づいて、この受信した金額を、このカード会員に貸与されたクレジットカードで、決済可能かの判断を行う工程。
（４）決済可能と判断した場合、決済可能との答えをＮＦＣ対応端末８０へ送信する工程。
（５）他方、認証に失敗した場合、又は、認証に成功しても、決済不可能と判断した場合、決済不可能との答えをＮＦＣ対応端末８０へ送信する工程。
【００３９】
また、イシュアサーバ３０では、記憶装置７３には、ＣＰＵ７１に、以下の（１）〜（２）の工程を実行させるプログラムも記憶されている。
（１）カード会員番号及び金額と、このカード会員番号で唯一に識別されるカード会員に貸与されているクレジットカードで、この金額を、電子マネーカードにチャージした金額として、決済するようにとの依頼とを含む情報をＮＦＣ対応端末８０から受信する工程。
（２）この受信した情報に含まれる依頼に従って、この受信した情報に含まれるカード会員番号で唯一に識別されるカード会員に貸与されているクレジットカードで、この受信した情報に含まれる金額を、電子マネーカードにチャージした金額として、決済し、この決済に係る情報を、記憶装置７３に、このカード会員のクレジットカードの利用情報として記憶する工程。
【００４０】
銀行サーバ４０では、記憶装置７３には、個々の口座開設者ごとに、口座開設者を唯一に識別する口座番号、口座開設者に発行されたキャッシュカードの暗証番号、口座残高、口座開設者との取引の情報が記録されている。
【００４１】
また、銀行サーバ４０では、記憶装置７３には、ＣＰＵ７１に、以下の（１）〜（５）の工程を実行させるプログラムが記憶されている。
（１）口座番号及び暗証番号並びに金額とともに、この口座番号で唯一に識別される口座開設者が、この口座開設者の口座で、この金額を決済可能かの問いをＮＦＣ対応端末８０から受信する工程。
（２）この受信した口座番号及び暗証番号と、記憶装置７３に記録されている口座番号及び暗証番号とを照合して認証を行う工程。
（３）認証に成功した場合、さらに、この受信した口座番号で唯一に識別される口座開設者の口座残高を記憶装置７３から読み出し、読み出した口座残高と、この受信した金額とを比較する工程。
（４）読み出した口座残高が、この受信した金額以上の場合、決済可能との答えをＮＦＣ対応端末８０へ送信する工程。
（５）他方、認証に失敗した場合、又は、認証に成功しても、読み出した口座残高が、この受信した金額未満の場合、決済不可能との答えをＮＦＣ対応端末８０へ送信する工程。
【００４２】
また、銀行サーバ４０では、記憶装置７３には、ＣＰＵ７１に、以下の（１）〜（３）の工程を実行させるプログラムも記憶されている。
（１）ＮＦＣ対応端末８０から、口座番号及び金額と、この口座番号で唯一に識別される口座開設者の口座で、この金額を、電子マネーカードにチャージした金額として、決済するようにとの依頼とを含む情報を受信する工程。
（２）この受信した情報に含まれる依頼に従って、この受信した情報に含まれる口座番号で唯一に識別される口座開設者の口座から、この受信した情報に含まれる金額を、電子マネーカードにチャージした金額として、出金して決済し、この決済に係る情報を、記憶装置７３に、この口座開設者との取引の情報として記憶する工程。
（３）記憶装置７３に記憶されている、この口座開設者の口座残高を、この金額を減額したものに更新する工程。
【００４３】
ＮＦＣ対応端末８０は、ＮＦＣと呼ばれる近距離無線通信に対応した、携帯電話、スマートフォン、タブレット端末などの携帯可能な端末であって、図６に示すように、ＣＰＵ８１と、一時記憶装置８２と、記憶装置８３と、通信装置８４と、入力装置８５と、表示装置８６と、近接通信装置８７とを備える。
【００４４】
近接通信装置８７は、ＮＦＣと呼ばれる近距離無線通信を、例えば電子マネーカード１０等と、行う装置である。
【００４５】
表示装置８６は、データを表示する装置であって、例えば、ディスプレイである。
【００４６】
入力装置８５は、データを入力する装置であって、例えば、タッチパネル、キーボード等である。
【００４７】
通信装置８４は、ネットワーク５０を介して、データ通信を、例えば、登録電子マネーカード管理サーバ２０、イシュアサーバ３０、銀行サーバ４０等と、行う装置である。
【００４８】
記憶装置８３は、永続的にデータやプログラムを記憶する装置である。
【００４９】
一時記憶装置８２は、一時的にデータやプログラムを記憶する装置であって、例えば、ＲＡＭである。
【００５０】
ＣＰＵ８１は、記憶装置８３からプログラムを一時記憶装置８２にロードして実行し、各装置を制御する装置である。
【００５１】
ＮＦＣ対応端末８０の記憶装置８３には、ＣＰＵ８１に、以下の（１）〜（３）の工程を実行させるプログラムが記憶されている。
（１）電子マネーカード１０の残高の表示を要求する入力がなされた場合、電子マネーカード１０を、ＮＦＣ対応端末８０へかざすよう促す表示をする工程。
（２）かざされた電子マネーカード１０へ、残高を送信するようにとの要求を送信する工程。
（３）かざされた電子マネーカード１０から、残高を受信して表示する工程。
【００５２】
また、ＮＦＣ対応端末８０の記憶装置８３には、ＣＰＵ８１に、以下の（１）〜（１９）の工程を実行させるプログラムが記憶されている。
【００５３】
（１）チャージを要求する入力がなされた場合、チャージする金額を、クレジットカードで決済するか、又は、キャッシュカードで決済するかの選択を入力するよう促す表示をする工程。
【００５４】
（２）クレジットカードで決済することを選択したと入力された場合、カード会員番号、暗証番号、チャージする金額を入力するよう促す表示をする工程。
（３）入力されたカード会員番号及び暗証番号並びに金額とともに、このカード会員番号で識別されるカード会員が、このカード会員に貸与されているクレジットカードで、この金額を決済可能かの問いをイシュアサーバ３０へ送信する工程。
（４）イシュアサーバ３０から、決済不可能との答えを受信した場合、決済不可能と表示する工程。
（５）他方、イシュアサーバ３０から、決済可能との答えを受信した場合、電子マネーカード１０を、ＮＦＣ対応端末８０へかざすよう促す表示をする工程。
（６）かざされた電子マネーカード１０へ、カードＩＤを送信するようにとの要求を送信する工程。
（７）かざされた電子マネーカード１０から、カードＩＤを受信する工程。
（８）この受信したカードＩＤとともに、このカードＩＤで唯一に識別される電子マネーカードが登録されたものであるかの問いを登録電子マネーカード管理サーバ２０へ送信する工程。
（９）登録電子マネーカード管理サーバ２０から、登録されたものではないとの答えを受信した場合、不正な電子マネーカードであるから、チャージ不可能と表示する工程。
（１０）他方、登録電子マネーカード管理サーバ２０から、登録されたものであるとの答えを受信した場合、かざされた電子マネーカード１０へ、入力された金額とともに、残高を、この金額を加えたものに更新するようにとの要求を送信し、そして、入力されたカード会員番号及び金額と、このカード会員番号で唯一に識別されるカード会員に貸与されているクレジットカードで、この金額を、電子マネーカードにチャージした金額として、決済するようにとの依頼とを含む情報をイシュアサーバ３０へ送信し、最後に、チャージが完了したと表示をする工程。
【００５５】
（１１）キャッシュカードで決済することを選択したと入力された場合、口座番号、暗証番号、チャージする金額を入力するよう促す表示を行う工程。
（１２）入力された口座番号及び暗証番号並びに金額とともに、この口座番号で唯一に識別される口座開設者が、この口座開設者の口座で、この金額を決済可能かの問いを銀行
サーバ４０へ送信する工程。
（１３）銀行サーバ４０から、決済不可能との答えを受信した場合、決済不可能と表示する工程。
（１４）他方、銀行サーバ４０から、決済可能との答えを受信した場合、電子マネーカード１０を、ＮＦＣ対応端末８０へかざすよう促す表示をする工程。
（１５）かざされた電子マネーカード１０へ、カードＩＤを送信するようにとの要求を送信する工程。
（１６）かざされた電子マネーカード１０から、カードＩＤを受信する工程。
（１７）この受信したカードＩＤとともに、このカードＩＤで唯一に識別される電子マネーカードが登録されたものであるかの問いを登録電子マネーカード管理サーバ２０へ送信する工程。
（１８）登録電子マネーカード管理サーバ２０から、登録されたものではないとの答えを受信した場合、不正な電子マネーカードであるから、チャージ不可能と表示する工程。
（１９）他方、登録電子マネーカード管理サーバ２０から、登録されたものであるとの答えを受信した場合、かざされた電子マネーカード１０へ、入力された金額とともに、残高を、この金額を加えたものに更新するようにとの要求を送信し、そして、銀行サーバ４０へ、入力された口座番号及び金額と、この口座番号で唯一に識別される口座開設者の口座で、この金額を、電子マネーカードにチャージした金額として、決済するようにとの依頼とを含む情報を銀行サーバ４０へ送信し、最後に、チャージが完了したと表示をする工程。
【００５６】
以下に、本発明のチャージ方法を実行するための処理の流れの例を、図７〜図１３に示すフローチャートに従って説明する。
【００５７】
Ｓ（ＳＴＥＰ）１；
電子マネーカード１０のユーザは、ＮＦＣ対応端末８０へ、電子マネーカード１０の残高の表示を要求する入力を行う。
【００５８】
Ｓ（ＳＴＥＰ）２；
ＮＦＣ対応端末８０のＣＰＵ８１は、電子マネーカード１０を、ＮＦＣ対応端末８０へかざすよう促す表示をする。
【００５９】
Ｓ（ＳＴＥＰ）３；
電子マネーカード１０のユーザは、この電子マネーカード１０を、ＮＦＣ対応端末８０へかざす。
【００６０】
Ｓ（ＳＴＥＰ）４；
ＮＦＣ対応端末８０のＣＰＵ８１は、電子マネーカード１０へ、残高を送信するようにとの要求を送信する。
【００６１】
Ｓ（ＳＴＥＰ）５；
電子マネーカード１０のＣＰＵ１３は、ＮＦＣ対応端末８０から、残高を送信するようにとの要求を受信する。
【００６２】
Ｓ（ＳＴＥＰ）６；
電子マネーカード１０のＣＰＵ１３は、メモリ１４から残高を読み出してＮＦＣ対応端末８０へ送信する。
【００６３】
Ｓ（ＳＴＥＰ）７；
ＮＦＣ対応端末８０のＣＰＵ８１は、電子マネーカード１０から、残高を受信して表示
する。
【００６４】
Ｓ（ＳＴＥＰ）８；
電子マネーカード１０のユーザは、表示された残高を確認して、残高不足かを判断する。
【００６５】
Ｓ（ＳＴＥＰ）９；
残高不足の場合、ＳＴＥＰ１０に進み、
残高が足りている場合、ＥＮＤに進む。
【００６６】
Ｓ（ＳＴＥＰ）１０；
電子マネーカード１０のユーザは、ＮＦＣ対応端末８０へ、チャージを要求する入力を行う。
【００６７】
Ｓ（ＳＴＥＰ）１１；
ＮＦＣ対応端末８０のＣＰＵ８１は、チャージする金額を、クレジットカードで決済するか、又は、キャッシュカードで決済するかの選択を入力するよう促す表示をする。
【００６８】
Ｓ（ＳＴＥＰ）１２；
電子マネーカード１０のユーザは、チャージする金額を、クレジットカードで決済するか、又は、キャッシュカードで決済するかの選択を入力する。
【００６９】
Ｓ（ＳＴＥＰ）１３；
クレジットカードで決済することを選択したと入力した場合、ＳＴＥＰ１４に進み、
キャッシュカードで決済することを選択したと入力した場合、ＳＴＥＰ４６に進む。
【００７０】
Ｓ（ＳＴＥＰ）１４；
ＮＦＣ対応端末８０のＣＰＵ８１は、カード会員番号、暗証番号、チャージする金額を入力するよう促す表示をする。
【００７１】
Ｓ（ＳＴＥＰ）１５；
電子マネーカード１０のユーザは、ＮＦＣ対応端末８０へ、カード会員番号、暗証番号、チャージする金額を入力する。
【００７２】
Ｓ（ＳＴＥＰ）１６；
ＮＦＣ対応端末８０のＣＰＵ８１は、イシュアサーバ３０へ、入力されたカード会員番号及び暗証番号並びに金額とともに、このカード会員番号で識別されるカード会員が、このカード会員に貸与されているクレジットカードで、この金額を決済可能かの問いを送信する。
【００７３】
Ｓ（ＳＴＥＰ）１７；
イシュアサーバ３０のＣＰＵ７１は、ＮＦＣ対応端末８０から、カード会員番号及び暗証番号並びに金額とともに、このカード会員番号で識別されるカード会員が、このカード会員に貸与されているクレジットカードで、この金額を決済可能かの問いを受信する。
【００７４】
Ｓ（ＳＴＥＰ）１８；
イシュアサーバ３０のＣＰＵ７１は、この受信したカード会員番号及び暗証番号と、記憶装置７３に記録されているカード会員番号及び暗証番号とを照合して認証を行う。
【００７５】
Ｓ（ＳＴＥＰ）１９；
認証に成功した場合、ＳＴＥＰ２０に進み、
認証に失敗した場合、ＳＴＥＰ２２に進む。
【００７６】
Ｓ（ＳＴＥＰ）２０；
イシュアサーバ３０のＣＰＵ７１は、この受信したカード会員番号で唯一に識別されるカード会員の信用情報を記憶装置７３から読み出し、読み出した信用情報に基づいて、この受信した金額を、このカード会員に貸与されたクレジットカードで、決済可能かの判断を行う。
【００７７】
Ｓ（ＳＴＥＰ）２１；
決済不可能と判断した場合、ＳＴＥＰ２２に進み、
決済可能と判断した場合、ＳＴＥＰ２４に進む。
【００７８】
Ｓ（ＳＴＥＰ）２２；
イシュアサーバ３０のＣＰＵ７１は、ＮＦＣ対応端末８０へ、決済不可能との答えを送信する。
【００７９】
Ｓ（ＳＴＥＰ）２３；
ＮＦＣ対応端末８０のＣＰＵ８１は、イシュアサーバ３０から、決済不可能との答えを受信して、決済不可能と表示し、ＥＮＤに進む。
【００８０】
Ｓ（ＳＴＥＰ）２４；
イシュアサーバ３０のＣＰＵ７１は、ＮＦＣ対応端末８０へ、決済可能との答えを送信する。
【００８１】
Ｓ（ＳＴＥＰ）２５；
ＮＦＣ対応端末８０のＣＰＵ８１は、イシュアサーバ３０から、決済可能との答えを受信して、電子マネーカード１０を、ＮＦＣ対応端末８０へかざすよう促す表示をする。
【００８２】
Ｓ（ＳＴＥＰ）２６；
電子マネーカード１０のユーザは、電子マネーカード１０を、ＮＦＣ対応端末８０へかざす。
【００８３】
Ｓ（ＳＴＥＰ）２７；
ＮＦＣ対応端末８０のＣＰＵ８１は、電子マネーカード１０へ、カードＩＤを送信するようにとの要求を送信する。
【００８４】
Ｓ（ＳＴＥＰ）２８；
電子マネーカード１０のＣＰＵ１３は、ＮＦＣ対応端末８０から、カードＩＤを送信するようにとの要求を受信する。
【００８５】
Ｓ（ＳＴＥＰ）２９；
電子マネーカード１０のＣＰＵ１３は、メモリ１４からカードＩＤを読み出してＮＦＣ対応端末８０へ送信する。
【００８６】
Ｓ（ＳＴＥＰ）３０；
ＮＦＣ対応端末８０のＣＰＵ８１は、電子マネーカード１０から、カードＩＤを受信する。
【００８７】
Ｓ（ＳＴＥＰ）３１；
ＮＦＣ対応端末８０のＣＰＵ８１は、登録電子マネーカード管理サーバ２０へ、この受信したカードＩＤとともに、このカードＩＤで唯一に識別される電子マネーカードが登録されたものであるかの問いを送信する。
【００８８】
Ｓ（ＳＴＥＰ）３２；
登録電子マネーカード管理サーバ２０のＣＰＵ７１は、ＮＦＣ対応端末８０から、カードＩＤとともに、このカードＩＤで唯一に識別される電子マネーカードが登録されたものであるかの問いを受信する。
【００８９】
Ｓ（ＳＴＥＰ）３３；
登録電子マネーカード管理サーバ２０のＣＰＵ７１は、この受信したカードＩＤが、この記憶装置７３に、登録された電子マネーカードを識別するものとして記憶されているかを確かめる。
【００９０】
Ｓ（ＳＴＥＰ）３４；
記憶されていない場合、ＳＴＥＰ３５に進み、
記憶されている場合、ＳＴＥＰ３７に進む。
【００９１】
Ｓ（ＳＴＥＰ）３５；
登録電子マネーカード管理サーバ２０のＣＰＵ７１は、ＮＦＣ対応端末８０へ、登録されたものではないとの答えを送信する。
【００９２】
Ｓ（ＳＴＥＰ）３６；
ＮＦＣ対応端末８０のＣＰＵ８１は、登録電子マネーカード管理サーバ２０から、登録されたものではないとの答えを受信して、不正な電子マネーカードであるから、チャージ不可能と表示し、ＥＮＤに進む。
【００９３】
Ｓ（ＳＴＥＰ）３７；
登録電子マネーカード管理サーバ２０のＣＰＵ７１は、ＮＦＣ対応端末８０へ、登録されたものであるとの答えを送信する。
【００９４】
Ｓ（ＳＴＥＰ）３８；
ＮＦＣ対応端末８０のＣＰＵ８１は、登録電子マネーカード管理サーバ２０から、登録されたものであるとの答えを受信する。
【００９５】
Ｓ（ＳＴＥＰ）３９；
ＮＦＣ対応端末８０のＣＰＵ８１は、電子マネーカード１０へ、入力された金額とともに、残高を、この金額を加えたものに更新するようにとの要求を送信する。
【００９６】
Ｓ（ＳＴＥＰ）４０；
電子マネーカード１０のＣＰＵ１３は、ＮＦＣ対応端末８０から、金額とともに、残高を、この金額を加えたものに更新するようにとの要求を受信する。
【００９７】
Ｓ（ＳＴＥＰ）４１；
電子マネーカード１０のＣＰＵ１３は、メモリ１４に記憶している残高を、この金額を加えたものに更新する。
【００９８】
Ｓ（ＳＴＥＰ）４２；
ＮＦＣ対応端末８０のＣＰＵ８１は、イシュアサーバ３０へ、入力されたカード会員番号及び金額と、このカード会員番号で唯一に識別されるカード会員に貸与されているクレ
ジットカードで、この金額を、電子マネーカードにチャージした金額として、決済するようにとの依頼とを含む情報を送信する。
【００９９】
Ｓ（ＳＴＥＰ）４３；
イシュアサーバ３０のＣＰＵ７１は、ＮＦＣ対応端末８０から、カード会員番号及び金額と、このカード会員番号で唯一に識別されるカード会員に貸与されているクレジットカードで、この金額を、電子マネーカードにチャージした金額として、決済するようにとの依頼とを含む情報を受信する。
【０１００】
Ｓ（ＳＴＥＰ）４４；
イシュアサーバ３０のＣＰＵ７１は、この受信した情報に含まれる依頼に従って、この受信した情報に含まれるカード会員番号で唯一に識別されるカード会員に貸与されているクレジットカードで、この受信した情報に含まれる金額を、電子マネーカードにチャージした金額として、決済し、この決済に係る情報を、記憶装置７３に、このカード会員のクレジットカードの利用情報として記憶する。
【０１０１】
Ｓ（ＳＴＥＰ）４５；
ＮＦＣ対応端末８０のＣＰＵ８１は、チャージが完了したと表示し、ＥＮＤに進む。
【０１０２】
Ｓ（ＳＴＥＰ）４６；
ＮＦＣ対応端末８０のＣＰＵ８１は、口座番号、暗証番号、チャージする金額を入力するよう促す表示を行う。
【０１０３】
Ｓ（ＳＴＥＰ）４７；
電子マネーカード１０のユーザは、ＮＦＣ対応端末８０へ、口座番号、暗証番号、チャージする金額を入力する。
【０１０４】
Ｓ（ＳＴＥＰ）４８；
ＮＦＣ対応端末８０のＣＰＵ８１は、銀行サーバ４０へ、入力された口座番号及び暗証番号並びに金額とともに、この口座番号で唯一に識別される口座開設者が、この口座開設者の口座で、この金額を決済可能かの問いを送信する。
【０１０５】
Ｓ（ＳＴＥＰ）４９；
銀行サーバ４０のＣＰＵ７１は、口座番号及び暗証番号並びに金額とともに、この口座番号で唯一に識別される口座開設者が、この口座開設者の口座で、この金額を決済可能かの問いをＮＦＣ対応端末８０から受信する。
【０１０６】
Ｓ（ＳＴＥＰ）５０；
銀行サーバ４０のＣＰＵ７１は、この受信した口座番号及び暗証番号と、記憶装置７３に記録されている口座番号及び暗証番号とを照合して認証を行う。
【０１０７】
Ｓ（ＳＴＥＰ）５１；
認証に成功した場合、ＳＴＥＰ５２に進み、
認証に失敗した場合、ＳＴＥＰ５４に進む。
【０１０８】
Ｓ（ＳＴＥＰ）５２；
銀行サーバ４０のＣＰＵ７１は、この受信した口座番号で唯一に識別される口座開設者の口座残高を記憶装置７３から読み出し、読み出した口座残高と、この受信した金額とを比較する。
【０１０９】
Ｓ（ＳＴＥＰ）５３；
読み出した口座残高が、この受信した金額未満の場合、ＳＴＥＰ５４に進み、
読み出した口座残高が、この受信した金額以上の場合、ＳＴＥＰ５６に進む。
【０１１０】
Ｓ（ＳＴＥＰ）５４；
銀行サーバ４０のＣＰＵ７１は、ＮＦＣ対応端末８０へ、決済不可能との答えを送信する。
【０１１１】
Ｓ（ＳＴＥＰ）５５；
ＮＦＣ対応端末８０のＣＰＵ８１は、銀行サーバ４０から、決済不可能との答えを受信して、決済不可能と表示し、ＥＮＤに進む。
【０１１２】
Ｓ（ＳＴＥＰ）５６；
銀行サーバ４０のＣＰＵ７１は、ＮＦＣ対応端末８０へ、決済可能との答えを送信する。
【０１１３】
Ｓ（ＳＴＥＰ）５７；
ＮＦＣ対応端末８０のＣＰＵ８１は、銀行サーバ４０から、決済可能との答えを受信して、電子マネーカード１０を、ＮＦＣ対応端末８０へかざすよう促す表示をする。
【０１１４】
Ｓ（ＳＴＥＰ）５８；
電子マネーカード１０のユーザは、電子マネーカード１０を、ＮＦＣ対応端末８０へかざす。
【０１１５】
Ｓ（ＳＴＥＰ）５９；
ＮＦＣ対応端末８０のＣＰＵ８１は、電子マネーカード１０へ、カードＩＤを送信するようにとの要求を送信する。
【０１１６】
Ｓ（ＳＴＥＰ）６０；
電子マネーカード１０のＣＰＵ１３は、ＮＦＣ対応端末８０から、カードＩＤを送信するようにとの要求を受信する。
【０１１７】
Ｓ（ＳＴＥＰ）６１；
電子マネーカード１０のＣＰＵ１３は、メモリ１４からカードＩＤを読み出してＮＦＣ対応端末８０へ送信する。
【０１１８】
Ｓ（ＳＴＥＰ）６２；
ＮＦＣ対応端末８０のＣＰＵ８１は、電子マネーカード１０から、カードＩＤを受信する。
【０１１９】
Ｓ（ＳＴＥＰ）６３；
ＮＦＣ対応端末８０のＣＰＵ８１は、登録電子マネーカード管理サーバ２０へ、この受信したカードＩＤとともに、このカードＩＤで唯一に識別される電子マネーカードが登録されたものであるかの問いを送信する。
【０１２０】
Ｓ（ＳＴＥＰ）６４；
登録電子マネーカード管理サーバ２０のＣＰＵ７１は、ＮＦＣ対応端末８０から、カードＩＤとともに、このカードＩＤで唯一に識別される電子マネーカードが登録されたものであるかの問いを受信する。
【０１２１】
Ｓ（ＳＴＥＰ）６５；
登録電子マネーカード管理サーバ２０のＣＰＵ７１は、この受信したカードＩＤが、この記憶装置７３に、登録された電子マネーカードを識別するものとして記憶されているかを確かめる。
【０１２２】
Ｓ（ＳＴＥＰ）６６；
記憶されていない場合、ＳＴＥＰ６７に進み、
記憶されている場合、ＳＴＥＰ６９に進む。
【０１２３】
Ｓ（ＳＴＥＰ）６７；
登録電子マネーカード管理サーバ２０のＣＰＵ７１は、ＮＦＣ対応端末８０へ、登録されたものではないとの答えを送信する。
【０１２４】
Ｓ（ＳＴＥＰ）６８；
ＮＦＣ対応端末８０のＣＰＵ８１は、登録電子マネーカード管理サーバ２０から、登録されたものではないとの答えを受信して、不正な電子マネーカードであるから、チャージ不可能と表示し、ＥＮＤに進む。
【０１２５】
Ｓ（ＳＴＥＰ）６９；
登録電子マネーカード管理サーバ２０のＣＰＵ７１は、ＮＦＣ対応端末８０へ、登録されたものであるとの答えを送信する。
【０１２６】
Ｓ（ＳＴＥＰ）７０；
ＮＦＣ対応端末８０のＣＰＵ８１は、登録電子マネーカード管理サーバ２０から、登録されたものであるとの答えを受信する。
【０１２７】
Ｓ（ＳＴＥＰ）７１；
ＮＦＣ対応端末８０のＣＰＵ８１は、電子マネーカード１０へ、入力された金額とともに、残高を、この金額を加えたものに更新するようにとの要求を送信する。
【０１２８】
Ｓ（ＳＴＥＰ）７２；
電子マネーカード１０のＣＰＵ１３は、ＮＦＣ対応端末８０から、金額とともに、残高を、この金額を加えたものに更新するようにとの要求を受信する。
【０１２９】
Ｓ（ＳＴＥＰ）７３；
電子マネーカード１０のＣＰＵ１３は、メモリ１４に記憶している残高を、この金額を加えたものに更新する。
【０１３０】
Ｓ（ＳＴＥＰ）７４；
ＮＦＣ対応端末８０のＣＰＵ８１は、銀行サーバ４０へ、入力された口座番号及び金額と、この口座番号で唯一に識別される口座開設者の口座で、この金額を、電子マネーカードにチャージした金額として、決済するようにとの依頼とを含む情報を送信する。
【０１３１】
Ｓ（ＳＴＥＰ）７５；
銀行サーバ４０のＣＰＵ７１は、ＮＦＣ対応端末８０から、口座番号及び金額と、この口座番号で唯一に識別される口座開設者の口座で、この金額を、電子マネーカードにチャージした金額として、決済するようにとの依頼とを含む情報を受信する。
【０１３２】
Ｓ（ＳＴＥＰ）７６；
銀行サーバ４０のＣＰＵ７１は、この受信した情報に含まれる依頼に従って、この受信
した情報に含まれる口座番号で唯一に識別される口座開設者の口座から、この受信した情報に含まれる金額を、電子マネーカードにチャージした金額として、出金して決済し、この決済に係る情報を、記憶装置７３に、この口座開設者との取引の情報として記憶する。
【０１３３】
Ｓ（ＳＴＥＰ）７７；
銀行サーバ４０のＣＰＵ７１は、記憶装置７３に記憶されている、この口座開設者の口座残高を、この金額を減額したものに更新する。
【０１３４】
Ｓ（ＳＴＥＰ）７８；
ＮＦＣ対応端末８０のＣＰＵ８１は、チャージが完了したと表示する。
【符号の説明】
【０１３５】
１０…電子マネーカード
１１…アンテナ
１２…ＩＣチップ
１３…ＣＰＵ
１４…メモリ
１５…近接通信インターフェース
２０…登録電子マネーカード管理サーバ
３０…イシュアサーバ
４０…銀行サーバ
５０…ネットワーク
７１…ＣＰＵ
７２…一時記憶装置
７３…記憶装置
７４…通信装置
８０…ＮＦＣ対応端末
８１…ＣＰＵ
８２…一時記憶装置
８３…記憶装置
８４…通信装置
８５…入力装置
８６…表示装置
８７…近接通信装置
【図１】
2016218552.tif 000003
【図２】
2016218552.tif 000004
【図３】
2016218552.tif 000005
【図４】
2016218552.tif 000006
【図５】
2016218552.tif 000007
【図６】
2016218552.tif 000008
【図７】
2016218552.tif 000009
【図８】
2016218552.tif 000010
【図９】
2016218552.tif 000011
【図１０】
2016218552.tif 000012
【図１１】
2016218552.tif 000013
【図１２】
2016218552.tif 000014
【図１３】
2016218552.tif 000015